(57)【要約】  本開示の実施形態は、接続状態プロンプティング方法および装置に関し、ネットワーク技術分野に属する。前記方法は、アクセスした無線フィデリティーＷｉＦｉネットワークを介して指定されたドメイン名に周期的にアクセスし、指定されたドメイン名に対応するネットワークサーバーへネットワークリソースの取得を請求することと、ネットワークリソースの取得状況に応じてＷｉＦｉネットワークと公衆インタネットの、オン状態とオフ状態が含まれる接続状態を確定することと、接続状態を表示し、接続状態をユーザーに提示することとを含む。【選択図】図２
2017530564.tif 000002
【特許請求の範囲】
【請求項１】
接続状態プロンプティング方法であって、
アクセスした無線ＷｉＦｉネットワークを介して指定されたドメイン名に周期的にアクセスし、前記指定されたドメイン名に対応するネットワークサーバーへネットワークリソースの取得を請求することと、
前記ネットワークリソースの取得状況に応じて前記ＷｉＦｉネットワークと前記公衆インタネットの、オン状態とオフ状態が含まれる接続状態を確定することと、
前記接続状態を表示し、前記接続状態をユーザーに提示することとを含む、前記接続状態プロンプティング方法。
【請求項２】
アクセスした無線ＷｉＦｉネットワークを介して指定されたドメイン名に周期的にアクセスし、前記指定されたドメイン名に対応するネットワークサーバーへネットワークリソースの取得を請求することは、
ＷｉＦｉネットワーク取得命令を受信することと、
前記ＷｉＦｉネットワーク取得命令に応じてＷｉＦｉアクセスポイントを検索することと
検索されたＷｉＦｉアクセスポイントから選択されたターゲットＷｉＦｉアクセスポイントによって提供されたＷｉＦｉネットワークにアクセスすることと、
前記ＷｉＦｉネットワークを介して前記指定されたドメイン名に対応するネットワークサーバーへ前記ネットワークリソースの取得要求を送信することとを含むことを特徴とする
請求項１に記載の接続状態プロンプティング方法。
【請求項３】
前記ネットワークリソースの取得状況に応じて、前記ＷｉＦｉネットワークと前記公衆インタネットの接続状態を確定することは、
前記指定されたドメイン名に対応するネットワークサーバーからフィードバックされた前記ネットワークリソースを受信したかを検出することと、
前記ネットワークリソースを受信した場合、前記ＷｉＦｉネットワークと前記公衆インタネットの接続状態が前記オン状態であると確定することと、
前記ネットワークリソースを受信しない場合、前記ＷｉＦｉネットワークと前記公衆インタネットの接続状態が前記オフ状態であると確定することとを含むことを特徴とする
請求項１に記載の接続状態プロンプティング方法。
【請求項４】
前記接続状態は、データ転送速度を含み、
前記ネットワークリソースの取得状況に応じて、前記ＷｉＦｉネットワークと前記公衆インタネットの接続状態を確定することは、
前記ネットワークリソースを受信した場合、前記ネットワークリソースを受信する時のデータ転送速度を取得することと、
前記データ転送速度に基づいて前記接続状態を確定することとを含むことを特徴とする
請求項３に記載の接続状態プロンプティング方法。
【請求項５】
接続状態プロンプティング方法であって、
指定されたドメイン名に周期的にアクセスし、前記指定されたドメイン名に対応するネットワークサーバーへネットワークリソースの取得を請求することと、
前記ネットワークリソースの取得状況に応じて、前記ＷｉＦｉネットワークと前記公衆インタネットの、オン状態とオフ状態が含まれる接続状態を確定することことと、
前記接続状態をユーザーに提示するように構成される端末へ前記接続状態を提供することとを含む、前記接続状態プロンプティング方法。
【請求項６】
端末へ前記接続状態を提供することは、
前記ＷｉＦｉネットワークにアクセスした端末が前記接続状態を取得するように、前記接続状態を放送することとを含むことを特徴とする
請求項５に記載の接続状態プロンプティング方法。
【請求項７】
接続状態プロンプティング装置であって、
アクセスした無線ＷｉＦｉネットワークを介して指定されたドメイン名に周期的にアクセスし、前記指定されたドメイン名に対応するネットワークサーバーへネットワークリソースの取得を請求するように構成されるドメイン名アクセスモジュールと、
前記ネットワークリソースの取得状況に応じて、前記ＷｉＦｉネットワークと前記公衆インタネットの、オン状態とオフ状態が含まれる接続状態を確定するように構成される状態確定モジュールと、
前記接続状態を表示し、前記接続状態をユーザーに提示するように構成される状態表示モジュールとを含む、前記接続状態プロンプティング装置。
【請求項８】
前記ドメイン名アクセスモジュールは、
ＷｉＦｉネットワーク取得命令を受信し、
前記ＷｉＦｉネットワーク取得命令に応じてＷｉＦｉアクセスポイントを検索し、
検索されたＷｉＦｉアクセスポイントから選択されたターゲットＷｉＦｉアクセスポイントによって提供されたＷｉＦｉネットワークにアクセスし、
前記ＷｉＦｉネットワークを介して指定されたドメイン名に対応するネットワークサーバーへ前記ネットワークリソースの取得請求を送信するように構成されることを特徴とする
請求項７に記載の接続状態プロンプティング装置。
【請求項９】
前記状態確定モジュールは、
前記指定されたドメイン名に対応するネットワークサーバーからフィードバックされた前記ネットワークリソースを受信したかを検出し、
前記ネットワークリソースを受信した場合、前記ＷｉＦｉネットワークと前記公衆インタネットの接続状態が前記オン状態であると確定し
前記ネットワークリソースを受信しない場合、前記ＷｉＦｉネットワークと前記公衆インタネットの接続状態が前記オフ状態であると確定するように構成されることを特徴とする
請求項７に記載の接続状態プロンプティング装置。
【請求項１０】
前記接続状態は、データ転送速度を含み、
前記状態確定モジュールは、
前記ネットワークリソースを受信した場合、前記ネットワークリソースを受信する時のデータ転送速度を取得し、
前記データ転送速度に基づいて前記接続状態を確定するように構成されることを特徴とする
請求項９に記載の接続状態プロンプティング装置。
【請求項１１】
接続状態プロンプティング装置であって、
指定されたドメイン名に周期的にアクセスし、前記指定されたドメイン名に対応するネットワークサーバーへネットワークリソースの取得を請求するように構成されるリソース請求モジュールと、
前記ネットワークリソースの取得状況に応じて、前記ＷｉＦｉネットワークと前記公衆インタネットの、オン状態とオフ状態が含まれる接続状態を確定するように構成される接続確定モジュールと、
前記接続状態をユーザーに提示するように構成される端末へ前記接続状態を提供するように構成される状態提供モジュールとを含む、前記接続状態プロンプティング装置。
【請求項１２】
前記状態提供モジュールは、前記ＷｉＦｉネットワークにアクセスした端末が前記接続状態を取得するように、前記接続状態を放送するように構成されることを特徴とする
請求項１１に記載の接続状態プロンプティング装置。
【請求項１３】
接続状態プロンプティング装置であって、
プロセッサと、
前記プロセッサの実行可能なコマンドを記憶するように構成されるメモリと、
ここで、プロセッサが、
アクセスした無線フィディリティーＷｉＦｉネットワークを介して指定されたドメイン名に周期的にアクセスし、前記指定されたドメイン名に対応するネットワークサーバーへネットワークリソースの取得を請求し、
前記ネットワークリソースの取得状況に応じて、前記ＷｉＦｉネットワークと前記公衆インタネットの、オン状態とオフ状態が含まれる接続状態を確定し、
前記接続状態を表示し、前記接続状態をユーザーに提示するように構成される、前記接続状態プロンプティング装置。
【請求項１４】
接続状態プロンプティング装置であって、
プロセッサと、
前記プロセッサの実行可能なコマンドを記憶するように構成されるメモリとを含み、
ここで、前記プロセッサが、
指定されたドメイン名に周期的にアクセスし、前記指定されたドメイン名に対応するネットワークサーバーへネットワークリソースの取得を請求し、
前記ネットワークリソースの取得状況に応じて、前記ＷｉＦｉネットワークと前記公衆インタネットの、オン状態とオフ状態が含まれる接続状態を確定し、
前記接続状態を表示し、前記接続状態をユーザーに提示するように構成される、前記接続状態プロンプティング装置。
【発明の詳細な説明】
【技術分野】
【０００１】
本開示の実施例は、ネットワーク技術分野に関し、特に接続状態プロンプティング方法および装置に関する。
【背景技術】
【０００２】
本願は、出願番号２０１５１０５４６６０２．１、出願日２０１５年８月３１日の中国特許出願に基づいて提案され、当該中国特許出願の優先権を主張し、当該中国特許出願のすべての内容が参照として本願に組み込まれる。
【０００３】
ＷｉＦｉ（ワイヤレスフィデリティー：Ｗｉｒｅｌｅｓｓ−Ｆｉｄｅｌｉｔｙ）技術は、無線接続技術である。科学技術の発展に伴い、ＷｉＦｉ技術を応用する無線ネットワークは、人々の日常生活の隅々に行き渡るが、ＷｉＦｉ技術は、人々の日常生活に対してもますます重要になる。
【０００４】
関連技術に接続状態プロンプティング（Ｐｒｏｍｐｔｉｎｇ）方法があり、当該方法において、まず、端末によってＷｉＦｉ技術を通じて無線ルータとＷｉＦｉ接続を確立し、当該無線ルータが公衆インターネットと接続を確立することができ、端末は、無線ルータによって提供されたＷｉＦｉネットワークのＷｉＦｉ信号強度を取得し、当該ＷｉＦｉ信号強度を接続状態としてユーザーに提示することができる。
【発明の概要】
【発明が解決しようとする課題】
【０００５】
関連技術課題を解決するために、本開示は、接続状態プロンプティング（Ｐｒｏｍｐｔｉｎｇ）方法および装置を提供する。前記技術的解決手段は、以下の通りである。
【課題を解決するための手段】
【０００６】
本開示の実施例の第１の態様による接続状態プロンプティング方法は、
アクセスした無線ＷｉＦｉネットワークを介して、指定されたドメイン名に周期的にアクセスし、指定されたドメイン名に対応するネットワークサーバーへネットワークリソースの取得を請求することと、
ネットワークリソースの取得状況に応じて、ＷｉＦｉネットワークと公衆インタネットの、オン状態とオフ状態が含まれる接続状態を確定することと、
接続状態を表示し、接続状態をユーザーに提示することとを含む。
【０００７】
選択的に、アクセスした無線ＷｉＦｉネットワークを介して指定されたドメイン名に周期的にアクセスし、指定されたドメイン名に対応するネットワークサーバーへネットワークリソースの取得を請求することは、
ＷｉＦｉネットワーク取得命令を受信することと、
ＷｉＦｉネットワーク取得命令に応じてＷｉＦｉアクセスポイントを検索することと、
検索されたＷｉＦｉアクセスポイントから選択されたターゲットＷｉＦｉアクセスポイントによって提供されたＷｉＦｉネットワークにアクセスすることと、
ＷｉＦｉネットワークを介して指定されたドメイン名に対応するネットワークサーバーへネットワークリソースの取得要求を送信することとを含む。
【０００８】
選択的に、ネットワークリソースの取得状況に応じて、ＷｉＦｉネットワークと公衆インタネットの接続状態を確定することは、
指定されたドメイン名に対応するネットワークサーバーからフィードバックされたネットワークリソースを受信したかを検出することと、
ネットワークリソースを受信した場合、ＷｉＦｉネットワークと公衆インタネットの接続状態がオン状態であると確定することと
ネットワークリソースを受信しない場合、ＷｉＦｉネットワークと公衆インタネットの接続状態がオフ状態であると確定することとを含む。
【０００９】
選択的に、接続状態は、データ転送速度を含み、
ネットワークリソースの取得状況に応じて、ＷｉＦｉネットワークと公衆インタネットの接続状態を確定することは、
ネットワークリソースを受信した場合、ネットワークリソースを受信する時のデータ転送速度を取得することと、
データ転送速度に基づいて接続状態を確定することとを含む。
【００１０】
本開示の実施例の第２の方面による接続状態通知方法は、
指定されたドメイン名に周期的にアクセスし、指定されたドメイン名に対応するネットワークサーバーへネットワークリソースの取得を請求することと、
ネットワークリソースの取得状況に応じて、ＷｉＦｉネットワークと公衆インタネットの、オン状態とオフ状態が含まれる接続状態を確定することと、
接続状態をユーザーに提示するように構成される端末へ接続状態を提供することとを含む。
【００１１】
選択的に、端末へ接続状態を提供することは、
ＷｉＦｉネットワークにアクセスした端末が接続状態を取得するように、接続状態を放送することとを含む。
【００１２】
本開示の実施例の第３の態様による接続状態プロンプティング装置は、
アクセスした無線フィディリティーＷｉＦｉネットワークを介して指定されたドメイン名に周期的にアクセスし、指定されたドメイン名に対応するネットワークサーバーへネットワークリソースの取得を請求するように構成されるドメイン名アクセスモジュールと、
ネットワークリソースの取得状況に応じて、ＷｉＦｉネットワークと公衆インタネットの、オン状態とオフ状態が含まれる接続状態を確定するように構成される状態確定モジュールと、
接続状態を表示し、接続状態をユーザーに提示するように構成される状態表示モジュールとを含む。
【００１３】
選択的に、ドメイン名アクセスモジュールは、
ＷｉＦｉネットワーク取得命令を受信し、
前記ＷｉＦｉネットワーク取得命令に応じてＷｉＦｉアクセスポイントを検索し、
検索されたＷｉＦｉアクセスポイントから選択されたターゲットＷｉＦｉアクセスポイントによって提供されたＷｉＦｉネットワークにアクセスし、
ＷｉＦｉネットワークを介して指定されたドメイン名に対応するネットワークサーバーへネットワークリソースの取得請求を送信するように構成される。
【００１４】
選択的に、状態確定モジュールは、
指定されたドメイン名に対応するネットワークサーバーからフィードバックされたネットワークリソースを受信したかを検出し、
ネットワークリソースを受信した場合、ＷｉＦｉネットワークと公衆インタネットの接続状態がオン状態であると確定し、
ネットワークリソースを受信しない場合、ＷｉＦｉネットワークと公衆インタネットの接続状態がオフ状態であると確定するように構成される。
【００１５】
選択的に、接続状態は、データ転送速度を含み、
状態確定モジュールは、
ネットワークリソースを受信した場合、ネットワークリソースを受信する時のデータ転送速度を取得し、
データ転送速度に基づいて接続状態を確定するように構成される。
【００１６】
本開示の実施例の第４の態様による接続状態プロンプティング装置は、
指定されたドメイン名に周期的にアクセスし、指定されたドメイン名に対応するネットワークサーバーへネットワークリソースの取得を請求するように構成されるリソース請求モジュールと、
ネットワークリソースの取得状況に応じて、ＷｉＦｉネットワークと公衆インタネットの、オン状態とオフ状態が含まれる接続状態を確定するように構成される接続確定モジュールと、
接続状態をユーザーに提供し、端末が接続状態をユーザーに提示するように構成される状態提供モジュールとを含む。
【００１７】
選択的に、状態提供モジュールは、ＷｉＦｉネットワークにアクセスした端末が接続状態を取得するように、接続状態を放送するように構成される。
【００１８】
本開示の実施例の第５の態様による接続状態通知装置は、
プロセッサと、
プロセッサ実行可能命令を記憶するように構成されるメモリとを含み、
ここで、プロセッサが、
アクセスした無線フィディリティーＷｉＦｉネットワークを介して指定されたドメイン名に周期的にアクセスし、指定されたドメイン名に対応するネットワークサーバーへネットワークリソースの取得を請求し、
ネットワークリソースの取得状況に応じて、ＷｉＦｉネットワークと公衆インタネットの、オン状態とオフ状態が含まれる接続状態を確定し、
接続状態を表示し、接続状態をユーザーに提示するように構成される。
【００１９】
本開示の実施例の第６の態様による接続状態プロンプティング装置は、
プロセッサと、
プロセッサ実行可能命令を記憶するように構成されるメモリとを含み、
指定されたドメイン名に周期的にアクセスし、指定されたドメイン名に対応するネットワークサーバーへネットワークリソースの取得を請求し、
ネットワークリソースの取得状況に応じて、前記ＷｉＦｉネットワークと前記公衆インタネットの、オン状態とオフ状態が含まれる接続状態を確定し、
接続状態をユーザーに提示するように構成される端末へ接続状態を提供するように構成される。
【００２０】
本開示の実施例による技術的解決手段は、以下の有益な効果を含むことができる。
【００２１】
ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが正常に公衆インタネットに接続されるかを確定することができる効果を達成し、通知効果が比較的良い。
【００２２】
以上の一般的な説明と後の詳しい説明は、例示的なものと解釈的なものだけであるが、本開示を限定できないと理解すべきである。
【図面の簡単な説明】
【００２３】
【図１】本開示の各実施例による接続状態通知方法に関する実施環境を示す図である。
【図２】一つの例示的な実施例による接続状態通知方法のフローチャートである。
【図３−１】一つの例示的な実施例による別の接続状態通知方法のフローチャートである。
【図３−２】図３−１に示す実施例における接続状態を確定するフローチャート図である。
【図３−３】図３−１に示す実施例における別の接続状態を確定するフローチャート図である。
【図３−４】関連技術における接続状態通知を示す図である。
【図３−５】図３−１に示す実施例における接続状態をユーザーに表示することを示す図である。
【図３−６】図３−１に示す実施例における接続状態をユーザーに表示することを示す図である。
【図４−１】一つの例示的な実施例による別の接続状態通知方法のフローチャートである。
【図４−２】図４−１に示す実施例における接続状態をユーザーに表示することを示す図である。
【図５】一つの例示的な実施例による別の接続状態通知方法のフローチャートである。
【図６】一つの例示的な実施例による別の接続状態通知方法のフローチャートである。
【図７】一つの例示的な実施例による別の接続状態通知方法のフローチャートである。
【図８】一つの例示的な実施例による接続状態プロンプティング装置のブロック図である。
【図９】一つの例示的な実施例による別の接続状態プロンプティング装置のブロック図である。
【図１０】一つの例示的な実施例による別の接続状態プロンプティング装置のブロック図である。
【図１１】一つの例示的な実施例による示す別の接続状態プロンプティング装置のブロック図である。
【発明を実施するための形態】
【００２４】
ここの図面は、明細書に取り込まれて本明細書の一部を構成し、本開示の実施例に合う実施例を示し、明細書とともに本開示の実施例の原理を解釈することに用いられる。
【００２５】
前記添付図面により、本開示の明確な実施例が示され、後でより詳しく説明される。これらの添付図面と文字説明は、いかなる方式により本開示の実施例の構想範囲を限定するものではなく、特定的な実施例を参照することにより、当業者にのために本開示の実施例の概念を説明するものである。
【００２６】
ここで例示的な実施例を詳しく説明し、その例が図面に示される。以下の説明が図面に関する場合、他に示されない限り、異なる図面の同じ数字は、同じまたは類似の要素を表す。以下の例示的な実施例において説明された実施形態は、本開示の実施例と一致するすべての実施形態を代表しない。逆に、それらは、添付した特許請求の範囲に詳しく説明された、本開示の実施例のいくつかの方面と一致する装置および方法の例だけである。
【００２７】
図１は本開示の各実施例による接続状態通知方法に関する実施環境を示す図であり、当該実施環境は、端末１１、ＷｉＦｉアクセスポイント（ＡＰ：Ａｃｃｅｓｓ  Ｐｏｉｎｔ）１２とネットワークサーバー１３を含むことができる。
【００２８】
端末１１は、携帯電話、タブレットＰＣ、ラップトップ型パソコンとデスクトップコンピュータなどであってよい。
【００２９】
ＷｉＦｉアクセスポイント１２は、ルータなどのネットワークアクセス機能を有するデバイスであってもよく、端末１１とＷｉＦｉ接続またはブルートゥース（登録商標）接続などのような無線接続を確立でき、また、公衆インタネットと接続を確立できる。
【００３０】
ネットワークサーバー１３は、一つのサーバー、または、若干のサーバーから構成されたサーバークラスタ、または、クラウドコンピューティングサービスセンターであってよい。ネットワークサーバー１３が公衆インタネットアドレスを備え、ＷｉＦｉアクセスポイント１２は、公衆インタネットと確立された接続によりネットワークサーバー１３にアクセスすることができる。
【００３１】
本実施環境は、端末１１とＷｉＦｉアクセスポイント１２の数に対して限定していない。
【００３２】
図２は一つの例示的な実施例による接続状態通知方法のフローチャートである。本実施例は、当該接続状態通知方法が図１に示す実施環境における端末１１に応用されることを例として説明する。当該接続状態通知方法は、以下のいくつかのステップを含むことができる。
【００３３】
ステップ２０１において、アクセスしたＷｉＦｉネットワークを介して指定されたドメイン名に周期的にアクセスし、指定されたドメイン名に対応するネットワークサーバーへネットワークリソースの取得を請求する。
【００３４】
ステップ２０２において、ネットワークリソースの取得状況に応じて、ＷｉＦｉネットワークと公衆インタネットの、オン状態とオフ状態が含まれる接続状態を確定する。
【００３５】
ステップ２０３において、接続状態を表示し、接続状態をユーザーに提示する。
【００３６】
上述したように、本開示の実施例による接続状態通知方法について、ネットワークリソースの取得状態に応じて確定されたＷｉＦｉネットワークと公衆インタネットの接続状態をユーザーに提示することにより、関連技術において端末がＷｉＦｉ信号強度を接続状態とし、通知情報が単一であり、通知効果が比較的悪い課題を解決し、端末が接続状態に応じてＷｉＦｉネットワークが正常に公衆インタネットに接続されるかを確定することができる効果を達成し、通知効果が比較的良い。
【００３７】
図３−１は一つの例示的な実施例による別の接続状態通知方法のフローチャートであり、本実施例は、当該接続状態通知方法が図１に示す実施環境に応用されることを例として説明する。当該接続状態通知方法は、以下のいくつかのステップを含むことができる。
【００３８】
ステップ３０１において、端末は、ＷｉＦｉネットワーク取得命令を受信する。
【００３９】
端末がＷｉＦｉアクセスポイントによって提供されたＷｉＦｉネットワークにアクセスしない場合、まずユーザーによってＷｉＦｉネットワーク取得命令を受信することができ、当該ＷｉＦｉネットワーク取得命令がユーザーによって送信されるものであってよい。例示的に、ユーザーは、ＷｉＦｉネットワークを接続する必要がある場合、端末を操作し、端末へＷｉＦｉネットワーク取得命令を送信することができる。または、端末は、起動する時に自動的にＷｉＦｉネットワーク取得命令を取得することもできる。
【００４０】
ステップ３０２において、端末は、ＷｉＦｉネットワーク取得命令に応じてＷｉＦｉアクセスポイントを検索する。
【００４１】
端末は、ネットワーク取得命令を取得した後、ＷｉＦｉネットワーク取得命令に応じてＷｉＦｉアクセスポイントを検索することができ、ＷｉＦｉアクセスポイントが自身のデバイス情報を持続的に放送し、例えば、無線ルータのデバイス情報がＳＳＩＤ（サービスセット識別子：Ｓｅｒｖｉｃｅ    Ｓｅｔ  Ｉｄｅｎｔｉｆｉｅｒ）とＭＡＣ（メディアアクセス制御：Ｍｅｄｉａ  Ａｃｃｅｓｓ  Ｃｏｎｔｒｏｌ）アドレスを含むことができる。端末は、付近のＷｉＦｉアクセスポイントによって放送されたデバイス情報を検索できる。
【００４２】
ステップ３０３において、端末は、検索されたＷｉＦｉアクセスポイントから選択されたターゲットＷｉＦｉアクセスポイントによって提供されたＷｉＦｉネットワークにアクセスする。
【００４３】
端末は、ＷｉＦｉアクセスポイントを検索した後、検索された少なくとも一つのＷｉＦｉアクセスポイントから一つのＷｉＦｉアクセスポイントをターゲットＷｉＦｉアクセスポイントとして選択し、それとＷｉＦｉ接続を確立し、ＷｉＦｉ接続を確立する過程がＷｉＦｉアクセスポイントによって提供されたＷｉＦｉネットワークにアクセスする過程である。  選択的に、篩い分ける過程は、以下の通りである。
【００４４】
選択的に、選択過程は、次の通りであってよい。
【００４５】
１）検索された複数のＷｉＦｉアクセスポイントにおける暗号化されかつそのパスワードが端末に記憶されないＷｉＦｉアクセスポイントを除去する。
【００４６】
２）残りの複数のＷｉＦｉアクセスポイントにおける信号強度が信号閾値より小さいＷｉＦｉアクセスポイントを除去する。
【００４７】
３）残りのＷｉＦｉアクセスポイントにおけるいずれかのＷｉＦｉアクセスポイントをターゲットＷｉＦｉアクセスポイントとして確定し、それに提供されたＷｉＦｉネットワークにアクセスする。
【００４８】
ステップ３０４において、端末は、ＷｉＦｉネットワークを介して指定されたドメイン名に周期的にアクセスし、指定されたドメイン名に対応するネットワークサーバーへネットワークリソースの取得を請求する。
【００４９】
端末は、ターゲットＷｉＦｉアクセスポイントによって提供されたＷｉＦｉネットワークにアクセスした後、当該ＷｉＦｉネットワークを介して指定されたドメイン名に周期的にアクセスし、指定されたドメイン名に対応するネットワークサーバーへネットワークリソースの取得を請求することができる。ターゲットアクセスポイントと公衆インタネットとの間に接続が確立された場合、ネットワークサーバが当該請求を受信することができることを確保するように、当該指定されたドメイン名は、公衆インターネットドメイン名であってよい。
【００５０】
端末が指定されたドメイン名に周期的にアクセスすることにより、取得された接続状態の適時性を保証できると説明すべきである。当該周期は、予め設定されることができる。例示的に、当該周期を１０分に設定することができる。
【００５１】
ステップ３０５において、端末は、ネットワークリソースの取得状況に応じてＷｉＦｉネットワークと公衆インターネットの接続状態を確定する。
【００５２】
端末は、指定されたドメイン名に対応するネットワークサーバーへネットワークリソースの取得を請求した後、ネットワークリソースの取得状況に応じて、ＷｉＦｉネットワークと公衆インターネットの接続状態を確定することができる。
【００５３】
本ステップは、二つの実行形態を含むことができる。
【００５４】
第一の実行形態は、図３−２に示すように、以下の３つのサブステップを含むことができる。
【００５５】
サブステップ３０５１において、端末は、指定されたドメイン名に対応するネットワークサーバーからフィードバックされたネットワークリソースを受信したかを検出する。ネットワークリソースを受信した場合、サブステップ３０５２を実行し、受信しない場合、サブステップ３０５３を実行する。
【００５６】
端末は、指定されたドメイン名に対応するネットワークサーバーからフィードバックされたネットワークリソースを受信したかを検出することができる。当該ネットワークリソースは、ネットワークサーバからターゲットＷｉＦｉアクセスポイントに送信され、さらにターゲットＷｉＦｉアクセスポイントによって端末に転送されたものであってよい。端末は、一つの受信制限時間を設定でき、当該受信制限時間が指定されたドメイン名に最初からアクセスした期間であってよく、端末が受信制限時間内にネットワークサーバーからフィードバックされたネットワークリソースを受信しないと、ネットワークリソースを受信しないと判断する。
【００５７】
サブステップ３０５２において、端末は、ＷｉＦｉネットワークと公衆インタネットの接続状態がオン状態であると確定する。
【００５８】
端末がネットワークリソースを受信した場合、ターゲットＷｉＦｉアクセスポイントと公衆インタネットとの間に接続が確立されたを示し、端末は、ターゲットＷｉＦｉアクセスポイントによって提供されたＷｉＦｉネットワークを介して公衆インタネットに正常にアクセスすることができ、この場合、端末は、ＷｉＦｉネットワークと公衆インタネットの間の接続状態がオン状態であると確定できる。
【００５９】
オン状態を指示する当該接続状態は、ターゲットＷｉＦｉアクセスポイントと公衆インタネットの接続状態を指示すると説明すべきである。
【００６０】
サブステップ３０５３において、端末は、ＷｉＦｉネットワークと公衆インタネットの接続状態がオフ状態であると確定する。
【００６１】
端末がネットワークリソースを受信しない場合、ターゲットＷｉＦｉアクセスポイントと公衆インタネットの間に接続が確立されないことを示し、端末は、ターゲットＷｉＦｉアクセスポイントによって提供されたＷｉＦｉネットワークを介して公衆インタネットに正常にアクセスすることができなく、この場合、端末は、ＷｉＦｉネットワークと公衆インタネットの接続状態がオフ状態であると確定できる。
【００６２】
オフ状態を指示する当該接続状態は、ターゲットＷｉＦｉアクセスポイントと公衆インタネットの間の接続状態を指示すると説明すべきである。
【００６３】
第２の実行形態は、図３−３に示すように、以下の３つのサブステップを含むことができる。
【００６４】
サブステップ３０５４において、端末は、指定されたドメイン名に対応するネットワークサーバーからフィードバックされたネットワークリソースを受信したかを検出する。ネットワークリソースを受信した場合、サブステップ３０５５を実行し、ネットワークリソースを受信しない場合、ステップ３０５７を実行する。
【００６５】
端末は、指定されたドメイン名に対応するネットワークサーバーからフィードバックされたネットワークリソースを受信したかを検出できる。当該ネットワークリソースは、ネットワークサーバーからターゲットＷｉＦｉアクセスポイントに送信され、さらにターゲットＷｉＦｉアクセスポイントによって端末に転送されたものであってよい。
【００６６】
サブステップ３０５５において、端末は、ネットワークリソースを受信する時のデーター転送速度を取得する。ステップ３０５６を実行する。
【００６７】
端末がネットワークリソースを受信した場合、ターゲットＷｉＦｉネットワークアクセスポイントと公衆インタネットの間に接続が確立されたことを示し、端末は、ネットワークリソースを受信する時のデータ転送速度を取得できる。
【００６８】
サブステップ３０５６において、端末は、データー転送速度に基づいて接続状態を確定する。
【００６９】
端末は、ネットワークリソースを受信する時のデーター転送速度を取得した後、当該データー転送速度に基づいて接続状態を確定することができ、当該接続状態がオン状態を指示することに用いられることができる。
【００７０】
ステップ３０５７において、端末は、、ＷｉＦｉネットワークと公衆インタネットの間の接続状態がオフ状態であると確定する。
【００７１】
端末がネットワークリソースを受信しない場合、ターゲットＷｉＦｉネットワークと公衆インタネットの間に接続が確立されないことを示し、端末は、ターゲットＷｉＦｉアクセスポイントによって提供されたＷｉＦｉネットワークを介して公衆インタネットに正常にアクセスすることができなく、この場合、端末は、ＷｉＦｉネットワークと公衆インタネットの接続状態がオフ状態であると確定できる。
【００７２】
端末は、接続状態を確定した後、ターゲットＷｉＦｉアクセスポイントによって提供されたＷｉＦｉネットワークへのアクセルを停止することができると説明すべきである。
【００７３】
ステップ３０６において、端末は、接続状態を表示し、ユーザーに提示する。
【００７４】
端末は、接続状態を確定した後、当該接続状態を表示し、ユーザーに提示することができる。選択的に、端末は、グラフィカルユーザーインターフェースに接続状態を表示し、または、音声コンポーネントにて接続状態を放送し、または、グラフィカルユーザーインターフェースに接続状態を表示しかつ音声コンポーネントにて接続状態を放送することができる。
【００７５】
ＷｉＦｉアクセスポイントは、一般的に公衆インターネットアクセスポイントに接続されるが、当該公衆インターネットアクセスポイントが様々な原因（例えば、線路破壊など）で公衆インタネットに接続されない可能性があるが、関連技術における端末は、ＷｉＦｉアクセスポイントによって放送されたＳＳＩＤ３１および対応する信号強度３２のみをグラフィカルユーザーインターフェースにユーザーに表示し、図３−４に示すように、ユーザーは、どのＷｉＦｉアクセスポイントによって提供されたＷｉＦｉネットワークにアクセスして公衆インタネットにアクセスできることを知ることができないと説明すべきである。本開示の実施例による接続状態通知方法において、端末は、ステップ３０３〜ステップ３０５にてステップ３０２に検索された複数のＷｉＦｉアクセスポイントの接続状態を順次に取得し、これらの複数の接続状態をユーザーに表示することができる。例示的に、図３−５に示すように、端末は、ＷｉＦｉアクセスポイントのＳＳＩＤ３１およびそれに対応する信号強度３２と接続状態３３をユーザーに表示することができ、図３−５において、記号「！」がオフ状態を指示する接続状態であり、記号「！」が現れない空白がオン状態を指示する接続状態であり、端末は、他の記号（例えば、「×」がオフ状態を指示する接続状態であり、「レ」がオン状態を指示する接続状態である）にてオフ状態の接続状態とオン状態の接続状態を表すこともでき、本発明の実施例において限定しない。
【００７６】
また、オフ状態を指示する接続状態とオン状態を指示する接続状態は、他の通知形態があることができる。図３−６に示すように、端末がネットワークリソースを受信する時のデータ転送速度を取得した場合、さらに、データ転送速度３３ａをオン状態を指示する接続状態としてユーザーに提示することができ、本開示の実施例において限定しない。
【００７７】
本開示の実施例による接続状態プロンプティング（Ｐｒｏｍｐｔｉｎｇ）方法において、ネットワークリソースを受信する時のデータ転送速度を取得し、データ転送速度に基づいて接続状態を確定することにより、接続状態を豊かにする効果を達成し、ユーザーの体験を強めると追加的に説明すべきである。
【００７８】
本開示の実施例よる接続状態プロンプティング方法において、端末がＷｉＦｉアクセスポイントによって提供されたＷｉＦｉネットワークにアクセスしない場合、検索されたＷｉＦｉアクセスポイントの接続状態を取得することにより、ユーザーがどのＷｉＦｉアクセスポイントによって提供されたＷｉＦｉネットワークを選択してそれにアクセスする場合、ＷｉＦｉアクセスポイントの様々な接続状態を予め知ることができる効果を達成すると追加的に説明すべきである。
【００７９】
上述したように、本開示の実施例による接続状態プロンプティング方法において、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが公衆インタネットに正常に接続されるかを確定することができる効果を達成し、通知効果が比較的良い。
【００８０】
図４−１は一つの例示的な実施例による別の接続状態プロンプティング方法のフローチャートである。本実施例は、当該接続状態プロンプティング方法が図１に示す実施環境における端末１１に応用されることを例として説明する。当該接続状態プロンプティング方法は、以下のいくつかのステップを含むことができる。
【００８１】
ステップ４０１において、端末は、現在の接続されるＷｉＦｉアクセスポイントによって提供されたＷｉＦｉネットワークを介して指定されたドメイン名に周期的にアクセスし、指定されたドメイン名に対応するネットワークサーバーへネットワークリソースの取得を請求する。
【００８２】
端末は、ＷｉＦｉアクセスポイントによって提供されたＷｉＦｉネットワークにアクセスした場合、現在のアクセスするＷｉＦｉネットワークを介して指定されたドメイン名に周期的にアクセスし、指定されたドメイン名に対応するネットワークサーバーへネットワークリソースの取得を請求する。ＷｉＦｉアクセスポイントと公衆インタネットの間に接続が確立される場合、ネットワークサーバが当該請求を受信できることを確保するように、当該指定されたドメイン名は、公衆インターネットのドメイン名であってよい。
【００８３】
端末が指定されたドメイン名に周期的にアクセスすることにより、取得された接続状態の適時性を保証できると説明すべきである。当該周期は、予め設定されることができる。例示的に、当該周期を１０分に設定することができる。
【００８４】
ステップ４０２において、端末は、ネットワークリソースの取得状況に応じてＷｉＦｉネットワークと公衆インタネットの接続状態を確定し、当該接続状態がオン状態とオフ状態を含む。
【００８５】
端末は、指定されたドメイン名に対応するネットワークサーバーへネットワークリソースの取得を請求した後、ネットワークリソースの取得状況に応じてＷｉＦｉネットワークと公衆インタネットの接続状態を確定することができる。本ステップは、図３−１に示す実施例におけるステップ３０５を参照できるので、ここで説明は省略する。
【００８６】
ステップ４０３において、端末は、接続状態を表示し、ユーザーに提示する。
【００８７】
端末は、接続状態をユーザーに提示するように、接続状態を確定した後に当該接続状態を表示できる。選択的に、端末は、グラフィカルユーザーインターフェースに接続状態を表示し、または、音声コンポーネントにて接続状態を放送し、または、グラフィカルユーザーインターフェースに接続状態を表示しかつ音声コンポーネントにて接続状態を放送することができる。図４−２に示すように、端末は、ユーザーが現在のアクセスするＷｉＦｉネットワークの関連情報を直感的に取得することに便利を与えるように、接続状態４２をＷｉＦｉ信号強度識別子４１の隣に表示でき、また、他の記号で接続状態を表すことができ、本発明の実施例において限定しない。
【００８８】
本開示の実施例による接続状態プロンプティング方法において、現在の接続するＷｉＦｉアクセスポイントと公衆インタネットの接続状態を取得することにより、ユーザーが現在のアクセスするＷｉＦｉネットワークが公衆インタネットに接続できるかを直感的に確定できる効果を達成すると追加的に説明すべきである。
【００８９】
上述したように、本開示の実施例による接続状態プロンプティング方法において、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが公衆インタネットに正常に接続されるかを確定することができる効果を達成し、通知効果が比較的良い。
【００９０】
図５は一つの例示的な実施例による別の接続状態プロンプティング方法のフローチャートである。本実施例は、当該接続状態プロンプティング方法が図１に示す実施環境にけるＷｉＦｉアクセスポイント１２に応用されることを例として説明する。当該接続状態プロンプティング方法は、以下のいくつかのステップを含むことができる。
【００９１】
ステップ５０１において、指定されたドメイン名に周期的にアクセスし、指定されたドメイン名に対応するネットワークサーバーへネットワークリソースの取得を請求する。
【００９２】
ステップ５０２において、ネットワークリソースの取得状況に応じてＷｉＦｉネットワークと公衆インタネットの接続状態を確定し、当該接続状態がオン状態とオフ状態を含む。
【００９３】
ステップ５０３において、接続状態をユーザーに提示するように構成される端末へ接続状態を提供する。
【００９４】
上述したように、本開示の実施例による接続状態プロンプティング方法において、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが公衆インタネットに正常に接続されるかを確定することができる効果を達成し、通知効果が比較的よい。
【００９５】
図６は一つの例示的な実施例による別の接続状態プロンプティング方法のフローチャートである。本実施例は、当該接続状態プロンプティング方法が図１に示す実施環境に応用されることを例として説明する。当該接続状態プロンプティング方法は、以下のいくつかのステップを含むことができる。
【００９６】
ステップ６０１において、ＷｉＦｉアクセスポイントは、指定されたドメイン名に周期的にアクセスし、指定されたドメイン名に対応するネットワークサーバーへネットワークリソースの取得を請求する。
【００９７】
本開示の実施例による接続状態プロンプティング方法を使用する場合、ＷｉＦｉアクセスポイントによって公衆インターネットアクセスポイントと確立された接続を介して指定されたドメイン名に周期的にアクセスし、指定されたドメイン名に対応するネットワークサーバーへネットワークリソースの取得を請求することができる。その中、公衆インターネットアクセスポイントは、公衆インタネットに接続されるポートとして構成され、かつ当該公衆インターネットアクセスポイントは、様々な原因（例えば線路破壊など）で公衆インターネットに接続されない可能性がある。
【００９８】
ステップ６０２において、ＷｉＦｉアクセスポイントは、ネットワークリソースの取得状況に応じてＷｉＦｉネットワークと公衆インタネットの接続状態を確定し、当該接続状態がオン状態とオフ状態を含む。
【００９９】
ＷｉＦｉアクセスポイントは、指定されたドメイン名に対応するネットワークサーバーへネットワークリソースの取得を請求した後、ネットワークリソースの取得状況に応じてＷｉＦｉネットワークと公衆インタネットの接続状態を確定することができ、当該接続状態がオン状態とオフ状態を含む。その中、ＷｉＦｉネットワークは、ＷｉＦｉアクセスポイントによって提供されるものであり、ＷｉＦｉネットワークと公衆インタネットの接続状態は、ＷｉＦｉアクセスポイントと公衆インタネットの接続状態である。
【０１００】
ＷｉＦｉアクセスポイントは、ネットワークサーバーによって提供されたネットワークリソースを取得した場合に、ＷｉＦｉネットワークと公衆インタネットの接続状態がオン状態であると確定し、ネットワークサーバーに提供されたネットワークリソースを取得しない場合に、ＷｉＦｉネットワークと公衆インタネットの接続状態がオフ状態であると確定することができる。
【０１０１】
ＷｉＦｉアクセスポイントがネットワークサーバーによって提供されたネットワークリソースを取得した場合、ネットワークリソースを取得する時のデータ転送速度を測定し、当該データ転送速度を接続状態に書き込むことができると説明すべきである。
【０１０２】
ステップ６０３において、ＷｉＦｉアクセスポイントは、接続状態を放送する。
【０１０３】
ＷｉＦｉアクセスポイントは、接続状態を確定した後、当該接続状態を放送できる。
【０１０４】
ＷｉＦｉアクセスポイントは、接続状態をデバイス情報に書き込み、即ち接続状態をＳＳＩＤとＭＡＣアドレスとともに放送すると説明すべきである。
【０１０５】
ステップ６０４において、端末は、ＷｉＦｉアクセスポイントによって放送された接続状態を取得し、ＷｉＦｉアクセスポイントは、端末がＷｉＦｉネットワーク取得命令に応じて検索されたものである。
【０１０６】
ＷｉＦｉアクセスポイントが接続状態を放送した後、端末は、ＷｉＦｉアクセスポイントによって放送された接続状態を取得できる。ＷｉＦｉアクセスポイントが接続状態をデバイス情報に書き込んで放送する場合、ＷｉＦｉアクセスポイント付近（ＷｉＦｉアクセスポイント放送信号範囲内）の端末は、ＷｉＦｉアクセスポイントを検索する時に、取得されたデバイス情報を解析することでＷｉＦｉアクセスポイントのＳＳＩＤ、ＭＡＣアドレスおよび接続状態を取得することができる。
【０１０７】
ステップ６０５において、端末は、接続状態を表示し、接続状態をユーザーに提示する。
【０１０８】
端末は、接続状態を取得した後、接続状態を表示し、ユーザーに提示することができる。選択的に、端末は、グラフィカルユーザーインターフェースに接続状態を表示し、または、音声コンポーネントにて接続状態を放送し、または、グラフィカルユーザーインターフェースに接続状態を表示しかつ音声コンポーネントにて接続状態を放送することができる。本ステップは、図３−１に示す実施例におけるステップ３０６を参照できるので、ここで説明は、省略する。
【０１０９】
本開示の実施例による接続状態プロンプティング方法において、ＷｉＦｉアクセスポイントを介して接続状態を放送して、端末がＷｉＦｉアクセスポイントの接続状態を受信でき、端末が接続状態を取得する必要がない効果を達成し、接続状態の取得速度を速めると追加的に説明すべきである。
【０１１０】
上述したように、本開示の実施例による接続状態プロンプティング方法において、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが公衆インタネットに正常に接続されるかを確定することができる効果を達成し、通知効果が比較的良い。
【０１１１】
図７は一つの例示的な実施例による別の接続状態プロンプティング方法のフローチャートである。本実施例は、当該接続状態プロンプティング方法が図１に示す実施環境に応用されることを例として説明する。当該接続状態プロンプティング方法は、以下のいくつかのステップを含むことができる。
【０１１２】
ステップ７０１において、ＷｉＦｉアクセスポイントは、指定されたドメイン名に周期的にアクセスし、指定されたドメイン名に対応するネットワークサーバへネットワークリソースの取得を請求する。
【０１１３】
本開示の実施例による接続状態プロンプティング方法を使用する場合、ＷｉＦｉアクセスポイントによって公衆インターネットアクセスポイントと確立された接続を介して指定されたドメイン名に周期的にアクセスし、指定されたドメイン名に対応するネットワークサーバーへネットワークリソースの取得を請求する。その中、公衆インターネットアクセスポイントは、公衆インタネットに接続されるポートとして構成され、かつ当該公衆インターネットアクセスポイントが様々な原因（例えば、線路破壊など）で公衆インターネットに接続されない可能性がある。
【０１１４】
ステップ７０２において、ＷｉＦｉアクセスポイントは、ネットワークリソースの取得状況に応じてＷｉＦｉネットワークと公衆インタネットの接続状態を確定し、当該接続状態がオン状態とオフ状態を含む。
【０１１５】
ＷｉＦｉアクセスポイントは、指定されたドメイン名に対応するネットワークサーバーへネットワークリソースの取得を請求した後、ネットワークリソースの取得状況に応じてＷｉＦｉネットワークと公衆インタネットの接続状態を確定することができ、当該接続状態がオン状態とオフ状態を含む。その中、ＷｉＦｉネットワークがＷｉＦｉアクセスポイントによって提供されたものであり、ＷｉＦｉネットワークと公衆インタネットの接続状態は、ＷｉＦｉアクセスポイントと公衆インタネットの接続状態である。
【０１１６】
ＷｉＦｉアクセスポイントは、ネットワークサーバーによって提供されたネットワークリソースを取得した場合、ＷｉＦｉネットワークと公衆インタネットの接続状態がオン状態であると確定し、ネットワークサーバーによって提供されたネットワークリソースを取得しない場合、ＷｉＦｉネットワークと公衆インタネットの接続状態がオフ状態であると確定することができる。
【０１１７】
ＷｉＦｉアクセスポイントがネットワークサーバーによって提供されたネットワークリソースを取得した場合、ネットワークリソースを取得する時のデータ転送速度を測定し、当該データ転送速度を接続状態に書き込むことができると説明すべきである。
【０１１８】
ステップ７０３において、ＷｉＦｉアクセスポイントは、現在の接続する端末へ接続状態を送信する。
【０１１９】
ＷｉＦｉアクセスポイントに端末が接続された場合、ＷｉＦｉアクセスポイントは、確定された接続状態を端末に送信できる。ＷｉＦｉアクセスポイントに接続される端末は、一つであってよく、複数であってもよく、ＷｉＦｉアクセスポイントは、この一つまたは複数の端末へ接続状態を送信できる。例示的に、一つの無線ルータと三つの端末との間にＷｉＦｉ接続が確立される場合、当該無線ルータは、接続状態を確定した後、この三つの端末のうちの少なくとも一つの端末に接続状態を送信できる。
【０１２０】
ステップ７０４において、端末は、接続状態を表示し、接続状態をユーザーに提示する。
【０１２１】
端末は、接続状態を取得した後、接続状態を表示し、ユーザーに提示することができる。選択的に、端末は、グラフィカルユーザーインターフェースに接続状態を表示し、または、音声コンポーネントにて接続状態を放送し、または、グラフィカルユーザーインターフェースに接続状態を表示しかつ音声コンポーネントにて接続状態を放送することができる。本ステップは、図４−１に示す実施例におけるステップ４０３を参照できるので、ここで説明は省略する。
【０１２２】
図６に示す接続状態プロンプティング方法と図７に示す接続状態プロンプティング方法は、組み合わせて実施されることができると説明すべきである。例示的に、ＷｉＦｉアクセスポイントは、接続状態を確定した後、接続状態を放送し、かつ接続状態を現在の接続する端末に送信することができ、本開示の実施例において限定しない。
【０１２３】
本開示の実施例による接続状態プロンプティング方法において、接続状態を現在の接続する端末に送信することにより、現在の接続する端末が接続状態をリアルタイムに取得することができる効果を達成すると追加的に説明すべきである。
【０１２４】
上述したように、本開示の実施例による接続状態プロンプティング方法において、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが公衆インタネットに正常に接続されるかを確定することができる効果を達成し、通知効果が比較的良い。
【０１２５】
下記は、本開示の装置の実施例であり、本開示の方法の実施例を実行するように構成されることができる。本開示の装置の実施例に開示されない詳細に対して、本開示の方法の実施例を参照してください。
【０１２６】
図８は一つの例示的な実施例による接続状態プロンプティング装置のブロック図である。当該接続状態プロンプティング装置は、ソフトウェア、ハードウェアまたは両者の組み合わせにより図１に示す実施環境における端末１の一部または全部として実現されることができる。当該接続状態プロンプティング装置は、以下のモジュールを含むことができる。
【０１２７】
ドメイン名アクセスモジュール８１０は、アクセスした無線フィディリティーＷｉＦｉネットワークを介して指定されたドメイン名に周期的にアクセスし、指定されたドメイン名に対応するネットワークサーバーへネットワークリソースの取得を請求するように構成される。
【０１２８】
状態確定モジュール８２０は、ネットワークリソースの取得状況に応じてＷｉＦｉネットワークと公衆インタネットの、オン状態とオフ状態が含まれる接続状態を確定するように構成される。
【０１２９】
状態表示モジュール８３０は、接続状態を表示し、ユーザーに提示するように構成される。
【０１３０】
上述したように、本開示の実施例による接続状態プロンプティング装置では、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが公衆インタネットに正常に接続されるかを確定することができる効果を達成し、通知効果が比較的良い。
【０１３１】
選択的に、ドメイン名アクセスモジュール８１０は、ＷｉＦｉネットワーク取得命令を受信するように構成される。ＷｉＦｉネットワーク取得命令に応じてＷｉＦｉアクセスポイントを検索する。検索されたＷｉＦｉアクセスポイントから選択されたターゲットＷｉＦｉアクセスポイントによって提供されたＷｉＦｉネットワークにアクセスする。ＷｉＦｉネットワークを介して指定されたドメイン名に対応するネットワークサーバーへネットワークリソースの取得請求を送信する。
【０１３２】
選択的に、状態確定モジュール８２０は、指定されたドメイン名に対応するネットワークサーバーからフィードバックされたネットワークリソースを受信したかを検出し、ネットワークリソースを受信した場合、ＷｉＦｉネットワークと公衆インターネットの接続状態がオン状態であると確定し、ネットワークリソースを受信しない場合、ＷｉＦｉネットワークと公衆インターネットの接続状態がオフ状態であると確定するように構成される。
【０１３３】
選択的に、接続状態は、データ転送速度を含む。
【０１３４】
状態確定モジュール８２０は、ネットワークリソースを受信した場合、ネットワークリソースを受信する時のデータ転送速度を取得し、データ転送速度に基づいて接続状態を確定するように構成される。
【０１３５】
本開示の実施例による接続状態プロンプティング装置は、ネットワークリソースを受信する時のデータ転送速度を取得し、データ転送速度に基づいて接続状態を確定することにより、接続状態を豊かにする効果を達成し、ユーザーの体験を強めると追加的に説明すべきである。
【０１３６】
本開示の実施例による接続状態プロンプティング装置において、端末がＷｉＦｉアクセスポイントとネットワーク接続を確立しない場合、検索されたＷｉＦｉアクセスポイントの接続状態を取得することにより、ユーザーがどのＷｉＦｉアクセスポイントを選択してそれに接続される場合、ＷｉＦｉアクセスポイントの接続状態を予め知ることができる効果を達成する。
【０１３７】
上述したように、本開示の実施例による接続状態プロンプティング装置において、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが公衆インタネットに正常に接続されるかを確定することができる効果を達成し、通知効果が比較的良い。
【０１３８】
図９は一つの例示的な実施例による接続状態プロンプティング装置のブロック図である。当該接続状態プロンプティング装置は、ソフトウェア、ハードウェアまたは両者の組み合わせにより図1に示す実施環境におけるＷｉＦｉアクセスポイントの一部または全部として実現されることができる。当該接続状態プロンプティング装置は、以下のモジュールを含むことができる。
【０１３９】
リソース請求モジュール９１０は、指定されたドメイン名に周期的にアクセスし、指定されたドメイン名に対応するネットワークサーバーへネットワークリソースの取得を請求するように構成される。
【０１４０】
接続確定モジュール９２０は、ネットワークリソースの取得状況に応じて、ＷｉＦｉネットワークと公衆インターネットの、オン状態とオフ状態が含まれる接続状態を確定するように構成される。
【０１４１】
状態提供モジュール９３０は、接続状態をユーザーに提示するように構成される端末へ接続状態を提供するように構成される。
【０１４２】
選択的に、状態提供モジュール９３０は、ＷｉＦｉネットワークにアクセスした端末が接続状態を取得するように、接続状態を放送するように構成される。
【０１４３】
本開示の実施例による接続状態プロンプティング装置において、ＷｉＦｉアクセスポイントにて接続状態を放送して、端末がＷｉＦｉアクセスポイントの接続状態を受信でき、端末が接続状態を取得する必要がない効果を達成すると追加的に説明すべきである。
【０１４４】
上述したように、本開示の実施例による接続状態プロンプティング装置では、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果比較的悪い課題を解決し、端末が接続状態に応じてＷｉＦｉネットワークが公衆インタネットに正常に接続されるかを確定することができる効果を達成し、通知効果が比較的良い。
【０１４５】
前記実施例における装置について、各モジュールが操作を実行する具体形態は、当該方法に関する実施例において詳しく説明されたので、ここで説明は省略する。
【０１４６】
図１０は一つの例示的な実施例による接続状態通知のための装置１０００のブローク図である。例えば、装置１０００は、携帯電話、コンピューター、ディジタル放送端末、メッセージ送受デバイス、ゲームコンソール、タブレットデバイス、医療デバイス、フィットネスデバイス、パーソナルデジタルアシスタント（ＰＤＡ：Ｐｅｒｓｏｎａｌ  Ｄｉｇｉｔａｌ  Ａｓｓｉｓｔａｎｔ）などであってよい。
【０１４７】
図１０を参照して、装置１０００は、処理コンポーネント１００２、メモリ１００４、電源コンポーネント１００６、マルチメディアコンポーネント１００８、オーディオコンポーネント１０１０、入力／出力（Ｉ／Ｏ）インタフェース１０１２、センサーコンポーネント１０１４および通信コンポーネント１０１６の一つまたは複数のコンポーネントを含むことができる。
【０１４８】
処理コンポーネント１００２は、一般的に、制御装置１０００全体の操作、例えば表示、電話コール、データ通信、カメラ操作および記録操作に関する操作を制御する。処理コンポーネント１００２は、前記の方法の全部または一部のステップを完了するように、一つまたは複数のプロセッサ１０２０を含んでコマンドを実行することができる。また、処理コンポーネント１００２は、他のコンポーネントとの間のインタラクションを容易にするように、一つまたは複数のモジュールを含むことができる。例えば、処理コンポーネント１００２は、マルチメディア１００８との間のインタラクションを容易にするように、マルチメディアモジュールを含むことができる。
【０１４９】
メモリ１００４は、装置１０００での操作をサポートするように、様々なデータを記憶ように構成される。これらのデータの例は、装置１０００で操作されるいかなるアプリケーションプログラムまたは方法のためのコマンド、連絡先データ、電話帳データ、メッセージ、ピクチャー、ビデオなどを含む。メモリ１００４は、いかなるタイプの揮発性または不揮発性メモリまたはそれらの組み合わせ、例えばスタティックランダムアクセスメモリ（ＳＲＡＭ）、電気的消去可能プログラマブル読み取り専用メモリ（ＥＥＰＲＯＭ）、消去可能プログラマブルリードオンリーメモリ（ＥＰＲＯＭ）、プログラマブルリードオンリーメモリ（ＰＲＯＭ）、読み取り専用メモリ（ＲＯＭ）、磁気メモリ、フラッシュメモリ、磁気ディスクまたは光ディスクによって実現されることができる。
【０１５０】
電源コンポーネント１００６は、装置１０００の様々なコンポーネントに電力を提供する。電力コンポーネント１００６は、電源管理システム、一つまたは複数の電源、および装置１０００に電力を生成、管理および割り当てることに関する他のコンポーネントを含むことができる。
【０１５１】
マルチメディアコンポーネント１００８は、前記装置１０００とユーザーの間の一つの出力インタフェースを提供するスクリーンを含む。いくつかの実施例において、スクリーンは、液晶ディスプレー（ＬＣＤ）とタッチスクリーン（ＴＰ）を含むことができる。スクリーンは、タッチパネルを含む場合、ユーザーからの入力信号を受信するようにタッチスクリーンとして構成されることができる。タッチパネルは、タッチ、スライドおよびタッチパネル上のジェスチャーをセンシングするように、１つまたは複数のタッチセンサーを含む。前記タッチセンサーは、タッチまたはスライド動作の限界をセンシングすることができるだけでなく、前記タッチまたはスライド操作に関する持続時間および圧力を検出することができる。いくつかの実施例において、マルチメディアコンポーネント１００８は、フロントカメラおよび／またはリアカメラを含む。装置１０００が操作モード、例えば撮影モードまたはビデオモードにある場合、前置カメラおよび／または後置カメラは、外部からのマルチメディアデータを受信できる。各フロントカメラおよび/またはリアカメラは、固定された光学レンズシステムであってよく、または焦点距離と光学ズーム機能を備える。
【０１５２】
オーディオコンポーネント１０１０は、オーディオ信号を出力および／または入力するように構成される。例えば、オーディオコンポーネント１０１０はマイク（ＭＩＣ）を含み、装置１０００が呼び出しモード、記録モードおよび音声識別モードのような操作モードにある場合、マイクは、外部のオーディオ信号を受信するように構成される。受信されたオーディオ信号は、さらにメモリ１００４に記憶され、または、通信コンポーネント１０１６を介して送信されることができる。いくつかの実施例において、オーディオコンポーネント１０１０は、オーディオ信号を出力するように構成されるスピーカーをさらに含む。
【０１５３】
Ｉ／Ｏインタフェース１０１２は、処理コンポーネント１００２と周辺インタフェースモジュールの間にインタフェースを提供する。前記周辺インタフェースモジュールは、キーボード、クリックホイール、ボタンなどであってよい。これらのボタンは、ホームページボタン、音量ボタン、スタートボタンとロックボタンを含むがこれらに限定されない。
【０１５４】
センサーコンポーネント１０１４は、装置１０００に各方面の状態評価を提供するように構成される一つまたは複数のセンサーを含む。例えば、センサーコンポーネント１０１４は、装置１０００のオン／オフ状態、コンポーネントの相対的な位置決め、例えば前記コンポーネントが装置１０００のディスプレイとキーパッドであることを検出することができ、また、センサーコンポーネント１０１４は、装置１０００または装置１０００の一つのコンポーネントの位置変化、ユーザーと装置１０００の接触の有無、装置１０００の方位または加速／減速および装置１０００の温度変化を検出することができる。センサーコンポーネント１０１４は、いかなる物理的な接触がない場合に付近物体の存在を検出するように構成される近接センサーを含むことができる。センサーコンポーネント１０１４は、イメージングアプリケーションに用いられるＣＭＯＳまたはＣＣＤ画像センサーのような光センサーをさらに含むことができる。いくつかの実施例において、当該センサーコンポーネント１０１４は、さらに、加速度センサー、ジャイロセンサー、磁気センサー、圧力センサーまたは温度センサーを含むことができる。
【０１５５】
通信コンポーネント１０１６は、装置１０００が他のデバイスと有線または無線で通信することに便利を与えるように構成される。装置１０００は、ＷｉＦｉ、２Ｇまたは３Ｇ、またはそれらの組み合わせのような通信基準に基づく無線ネットワークにアクセスすることができる。一つの例示的な実施例において、通信コンポーネント１０１６は、放送チャネルを介して外部放送管理システムからの放送信号または放送に関する情報を受信する。一つの例示的な実施例において、前記通信コンポーネント１０１６は、さらに、近距離通信を促進するように、近距離通信（ＮＦＣ）モジュールを含む。例えば、ＮＦＣモジュールは、非接触型ＩＤ識別システム（ＲＦＩＤ）、アイアールディーエイ（ＩｒＤＡ）技術、ウルトラワイドバンド（ＵＷＢ）技術、ブルートゥース（登録商標）（ＢＴ）技術と他の技術により実現されることができる。
【０１５６】
例示的な実施例において、装置１０００は、一つまたは複数の特定用途向け集積回路（ＡＳＩＣ）、ディジタル信号処理機（ＤＳＰ）、ディジタル信号処理デバイス（ＤＳＰＤ）、プログラマブルロジックデバイス（ＰＬＤ）、フィールドプログラマブル ゲートアレイ（ＦＰＧＡ）、コントローラ、マイクロコントローラ、マイクロプロセッサまたはほかの電子部品によって実現されることができ、前記方法を実行するように構成される。
【０１５７】
例示的な実施例においてコマンドを含む非一時的なコンピュータ可読記憶媒体、例えばコマンドを含むメモリ１００４が提供される。前記コマンドは、前記方法を完了するように、装置１０００のプロセッサ１０２０によって実行されることができる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスクと光データ記憶デバイスなどであってよい。
【０１５８】
非一時的なコンピューター記憶媒体であって、前記記憶媒体におけるコマンドが装置１０００のプロセッサによって実行される場合、装置１０００は、前記各実施例による接続状態プロンプティング方法を実行することができる。
【０１５９】
図１１は一つの例示的な実施例による接続状態通知のための装置１１００のブロック図である。例えば、装置１１００は、ＷｉＦｉアクセスポイントとして提供されることができる。図１１を参照し、装置１１００は、処理コンポーネント１１２２を含み、さらに一つまたは複数のプロセッサ、および処理コンポーネント１１２２で実行可能な命令、例えば応用プログラムを記憶するように構成される、メモリ１１３２に代表されるメモリリソースを含む。メモリ１１３２に記憶された応用プログラムは、それぞれが１グループの命令に対応する一つ以上のモジュールを含むことができる。また、処理コンポーネント１１２２は、前記接続状態プロンプティング方法を実行するように、コマンドを実行するように構成される。
【０１６０】
装置１１００は、さらに装置１１００の電源管理を実行するように構成される電源コンポーネント１１２６、装置１１００をネットワークに接続するように構成される有線または無線ネットワークインタフェース１１５０、および入力出力（Ｉ／Ｏ）インタフェース１１５８を含むことができる。装置１１００は、メモリ１１３２に記憶された操作システムに基づいて操作されることができ、例えば、Ｗｉｎｄｏｗｓ（登録商標）  ＳｅｒｖｅｒＴＭ、ＭａｃＯＳ（登録商標）  Ｘ  ＴＭ、Ｕｎｉｘ（登録商標）ＴＭ、Ｌｉｎｕｘ（登録商標）ＴＭ、ＦｒｅｅＢＳＤ（登録商標）ＴＭまたは類似するものである。
【０１６１】
当業者は、明細書を考えてここで開示された実施例を実施した後、本開示の他の実施形態を容易に想到する。本願は、本公開の実施例のいかなる変形、用途または適応的変化をカバーすることを意図し、これらの変形、用途または適応的変化が本開示の実施例の一般的な原理に従いかつ本開示に開示されない本技術分野の周知常識と慣用技術手段を含む。明細書と実施例は、例示的なものと見なされるだけであり、本開示の実施例の本当の範囲と精神は以下の特許請求の範囲によって示される。
【０１６２】
本開示の実施例は、以上に説明されかつ図面に示され精確な構造に限定されなく、かつその範囲から逸脱することなく様々な修正および変更を行うことができると理解すべきである。本公開の実施例の範囲は、添付の特許請求の範囲のみによって限定される。
【産業上の利用可能性】
【０１６３】
本開示の実施例において、ネットワークリソースの取得状況に応じて確定されたＷｉＦｉネットワークと公衆インタネットの接続状態をユーザーに提示することにより、関連技術において端末がＷｉＦｉ信号強度を接続状態とし、通知された情報が単一であり、通知効果が比較的悪い課題を解決し、端末が接続状態に応じてＷｉＦｉネットワークが正常に公衆インタネットに接続されるかを確定することができる効果を達成し、通知効果が比較的良い。
【図１】
2017530564.tif 000003
【図２】
2017530564.tif 000004
【図３−１】
2017530564.tif 000005
【図３−２】
2017530564.tif 000006
【図３−３】
2017530564.tif 000007
【図３−４】
2017530564.tif 000008
【図３−５】
2017530564.tif 000009
【図３−６】
2017530564.tif 000010
【図４−１】
2017530564.tif 000011
【図４−２】
2017530564.tif 000012
【図５】
2017530564.tif 000013
【図６】
2017530564.tif 000014
【図７】
2017530564.tif 000015
【図８】
2017530564.tif 000016
【図９】
2017530564.tif 000017
【図１０】
2017530564.tif 000018
【図１１】
2017530564.tif 000019
【国際調査報告】
2017530564.tif 000020
2017530564.tif 000021
2017530564.tif 000022
2017530564.tif 000023